(57)【特許請求の範囲】
【請求項１】
外側靴下と内側靴下を有する２重編成の外反母趾防止用靴下において、
前記内側靴下を構成するつま先部の下方生地に形成されている横長状の縫目が、平坦状に形成され、母趾挿入部と他の４本の指を入れる４本指挿入部との間に形成の開口部に外反母趾防止材が挿入されていること、
前記母趾挿入部と４本指挿入部を形成する下方生地の外側面部に、伸縮性を有するテトロン（登録商標）又はナイロン製シート生地の裏面に薄い接着用ウレタンシートをラミネート加工を施して形成された固定シート材が当てられ、前記外反母趾防止材をも固着されていること、
前記母趾挿入部と４本指挿入部を構成する上方生地の外側面部に、伸縮性を有するテトロン（登録商標）又はナイロン製シート生地の裏面に薄い接着用ウレタンシートをラミネート加工を施して形成された固定シート材が当てられ、前記外反母趾防止材をも固着されていること、
さらに前記上方生地の外側面部の固定シート材の上面に、前記固定シート材より大きい伸縮性を有するウレタン系の不織布又はテトロン（登録商標）もしくはナイロン製シート生地の裏面に薄い接着用ウレタンシートをラミネート加工を施して形成された固定シート材が当てられ、前記固定シート材が接着されて前記外反母趾防止材と前記上方生地に被着されていると共に、内側靴下の上方生地中、前記母趾挿入部と４本指挿入部より踵部寄りの上方生地の表面部と、前記外側靴下を構成する上方生地の裏面部とが接着されていることにより、外側靴下と内側靴下が２重に被覆されて成ることを特徴とする外反母趾防止用靴下。
【請求項２】
前記内側靴下の母趾挿入部と４本指挿入部との幅員は、５本の指プラス１本分の指を加えた６本指が挿入可能な広い幅員をもって形成されていることを特徴とする請求項１記載の外反母趾防止用靴下。
【請求項３】
前記固定シート材に、複数の小孔が形成されていることを特徴とする請求項１記載の外反母趾防止用靴下。
【請求項４】
前記外反母趾防止材が、布材又はゴム材でなる単体もしくはそれらの組合せでなる混合体で構成されていることを特徴とする請求項１記載の外反母趾防止用靴下。
【請求項５】
前記外反母趾防止材が、スポンジ材料又はシリコン材料又はウレタン材料でなる単体もしくはいずれかの組合せでなる混合体で構成されていることを特徴とする請求項１記載の外反母趾防止用靴下。
【発明の詳細な説明】
【０００１】
【発明の属する技術分野】
本発明は、外反母趾防止用靴下の分野に関するものである。
【０００２】
【従来の技術】
従来の２重構成の外反母趾防止用靴下は、５本指を母趾挿入部と他の４本の指を挿入する４本指挿入部に夫々挿入するとき、スムーズに前記５本指が挿入しづらかった。
【０００３】
さらに５本指が挿入された状態から、５本指を脱ぐとき、爪先を指でつまんでいても、スムーズに５本指が脱げなかった。
【０００４】
また従来の外反母趾防止用靴下は、外反母趾を防止する手段として、足の母指と第２指との間に、母趾防止材を挿入するため、わざわざ袋部を形成する作業工程を必要としていた。
【０００５】
さらに従来の外反母趾防止材としては、薄い合成樹脂製Ｖ形状のものを、足の母指と第２指とが常時開き状態となっているように、靴下を構成する甲皮側生地部又は底側生地部と、その周辺部の生地部に当て、接着せしめ、外反母趾防止機能を発揮させていた。
【０００６】
上記のような構造をした従来型の外反母趾防止用靴下は、履用中に足の母指や第２指が動き廻ることによって生ずる指の力によって、中間に介在している外反母趾防止材が、上方向に押し出されたり、あるいは下方向に押し出されして、折角の外反母趾防止機能が十分に発揮できなかった。さらに従来型の外反母趾防止用靴下は、靴下内部に接着の防止材が、Ｖ形状のため、クリーニングすると、曲がりにくく、一旦曲がったりすると、修復することが不可能にして、しかも外反母趾の防止機能を著しく損傷する欠陥があった。
【０００７】
【発明が解決しようとする課題】
本発明は、２重編成の外反母趾防止用靴下に５本指を挿入するときと、一旦挿入した５本指を脱ぐときも、極めてスムーズに行うことができるようにした。
【０００８】
さらに本発明は、外反母趾防止材を内側靴下の開口部に挿入後、３工程方式を採用したことによって確実に固着し、製造工程の簡略化を図った。
【０００９】
また本発明は、空間部とその左右両側方靴下の母趾挿入部との全体の幅員が、従来の内側靴下の幅員よりも、指が１本余計に挿入可能な幅員にしたので、５本指が左右両サイドより圧迫されるのを解消せしめた。
【００１０】
さらに本発明は、内側靴下の下方生地に形成の縫目をプレスして圧潰し、平坦状となしたことにして、歩行を安楽にした。
【００１１】
また本発明は、股割れ状態となっている靴下の母指挿入部と他の４指が挿入する挿入部との間に形成された空間部の間に挿入する外反母趾防止材が、足の母指や第２指らの動作にも十分耐えて、外反母趾防止の機能を長期にわたり、常時発揮できる状態を確保したものである。
【００１２】
【課題を解決するための手段】
請求項１記載の発明は、外側靴下と内側靴下を有する２重編成の外反母趾防止用靴下において、
前記内側靴下を構成するつま先部の下方生地に形成されている横長状の縫目が、平坦状に形成され、母趾挿入部と他の４本の指を入れる４本指挿入部との間に形成の開口部に外反母趾防止材が挿入されていること、
前記母趾挿入部と４本指挿入部を形成する下方生地の外側面部に、伸縮性を有するテトロン（登録商標）又はナイロン製シート生地の裏面に薄い接着用ウレタンシートをラミネート加工を施して形成された固定シート材が当てられ、前記外反母趾防止材をも固着されていること、
前記母趾挿入部と４本指挿入部を構成する上方生地の外側面部に、伸縮性を有するテトロン（登録商標）又はナイロン製シート生地の裏面に薄い接着用ウレタンシートをラミネート加工を施して形成された固定シート材が当てられ、前記外反母趾防止材をも固着されていること、
さらに前記上方生地の外側面部の固定シート材の上面に、前記固定シート材より大きい伸縮性を有するウレタン系の不織布又はテトロン（登録商標）もしくはナイロン製シート生地の裏面に薄い接着用ウレタンシートをラミネート加工を施して形成された固定シート材が当てられ、前記固定シート材が接着されて前記外反母趾防止材と前記上方生地に被着されていると共に、内側靴下の上方生地中、前記母趾挿入部と４本指挿入部より踵部寄りの上方生地の表面部と、前記外側靴下を構成する上方生地の裏面部とが接着されていることにより、外側靴下と内側靴下が２重に被覆されて成ることを特徴とする外反母趾防止用靴下である。
【００１３】
請求項２記載の発明は、前記内側靴下の母趾挿入部と４本指挿入部との幅員は、５本の指プラス１本分の指を加えた６本指が挿入可能な広い幅員をもって形成されていることを特徴とする請求項１記載の外反母趾防止用靴下である。
【００１４】
請求項３記載の発明は、前記固定シート材に、複数の小孔が形成されていることを特徴とする請求項１記載の外反母趾防止用靴下である。
【００１５】
請求項４記載の発明は、前記外反母趾防止材が、布材又はゴム材でなる単体もしくはそれらの組合せでなる混合体で構成されていることを特徴とする請求項１記載の外反母趾防止用靴下である。
【００１６】
請求項５記載の発明は、前記外反母趾防止材が、スポンジ材料又はシリコン材料又はウレタン材料でなる単体もしくはいずれかの組合せでなる混合体で構成されていることを特徴とする請求項１記載の外反母趾防止用靴下である。
【００１７】
【発明の実施の形態】
請求項１〜５記載の発明に関する実施の形態は共通しているので、以下のとおり一括して説明する。
【００１８】
ａは２重編製の外反母趾用靴下Ａを構成する外側靴下である。ｂは前記外側靴下ａと接続する内側靴下である。
【００１９】
１は内側靴下ｂのつま先部２の下方生地３に形成されている外側方にして、しかも横長状のふくらんだ縫目である。この縫目１は、縫ったときはふくらんでおり、靴下の履用中には意外に強く当たり、異和感を感ずる部分である。
【００２０】
本発明は、前記縫目１をプレス手段で下方生地３と同じ平坦状になるようにプレスしてやる。このプレス手段は、プレス体を直接前記縫目１に当てて圧漬してもよいが、前記縫目１を下方に位置する熱せられている金型に密着した状態にして、上方からプレスをやってもよい。前記のとおり縫目１の圧漬手法は限定しない。
【００２１】
上記プレス工程後、母趾挿入部４と他の４本の指を入れる４本指挿入部５との間に形成の開口部６に外反母趾防止材７を挿入する。
【００２２】
この防止材７の構造については後述する。
【００２３】
８は前記下方生地３の外側面部、９は内側面部である。
【００２４】
前記のように外反母趾防止材７を挿入し前記母趾挿入部４と４本指挿入部５を形成する前記下方生地３の外側面部８に、伸縮性を有するテトロン（登録商標）又はナイロン製シート生地１０ａの裏面に薄い接着用ウレタンシート１０ｂをラミネート加工を施して形成の固定シート材１０を当て、上方より所定温度をもって加圧し、前記固定シート１０が当る前記外反母趾防止材７の表面部をも同時に固着する。
【００２５】
そして前記内側靴下ｂを再度転覆し、前記母趾挿入製部４と４本指挿入部５を形成する前記上方生地１１の外側面部１２に伸縮性を有するテトロン（登録商標）又はナイロン製シート生地１３ａの裏面に薄い接着用ウレタンシート１３ｂをラミネート加工を施して形成の固定シート材１３を当てる。
【００２６】
そして上方より所定温度（約１８０℃）をもって加圧し、前記固定シート材１３が当る前記外反母趾防止材７をも同時に固着する。
【００２７】
上記のように加圧すると、前記の各固定シート材１０、１３は、各生地３、１１に確実に接着すると共に、伸縮する。
【００２８】
さらに前記固定シート材１３より若干大きい伸縮性を有するウレタン系の不織布又は伸縮性を有するテトロン（登録商標）又はナイロン製シート生地１４の裏面１５に薄い接着用のウレタンシート１６をラミネート加工を施して形成の固定シート材１７を当てる。
【００２９】
そして所定温度（約１８０℃）で加圧すると、上記生地１１の外側面部１２と、前記固定シート材１３と前記防止材７の上面は勿論、それ以外のはみ出し部分の外側面部１２に、前記固定シート材１７が接着して前記外反母趾防止材７を被着する。
【００３０】
次の工程として、前記のような状態となっている内側靴下ｂの上方生地１１中、前記母趾挿入部４と４本指挿入部５より若干下方に位置する上方生地１１の所定個所の外側面部１２と、前記外側靴下ａの所定個所即ち上方生地の裏面部とを接着せしめる。
【００３１】
最後に両靴下ａ、ｂを２重に被着せしめる。
【００３２】
以上の構成が本発明の外反母趾防止用靴下である。
【００３３】
さらに本発明は、前記内側靴下ｂの母趾挿入部４と４本指挿入部５との幅員を、５本の指プラス１本分の指を加えた６本指が挿入可能な従来タイプよりも若干広い幅員をもって形成する。これによって開口部６に前記防止材７が挿入し完成品となった靴下Ａを履用しても、５本指が、左右両サイドから常時押されつづけたりしないので、履心地が良好である。
【００３４】
また本発明は、前記固定シート材１７に、無数（複数）の小孔を形成せしめてもよい。前記小孔によって通気性が増し、むれたりしない。
【００３５】
さらに本発明は、前記外反母趾防止材７が、溶融性を有しない、袋入り粒状体にて形成してもよい。
【００３６】
また前記外反母趾防止材７が、布材又はゴム材でなる単体もしくはそれらを組合せて混合して形成してもよい。
【００３７】
さらに前記外反母趾防止材７が、遠赤外線を放射する、袋入り粒状体をもって構成してもよい。
【００３８】
また本発明は、混合体前記外反母趾防止材７が、スポンジ材料又はシリコン材料又はウレタン材料でなる単体もしくはそれらのいずれかの組合せでなる混合体であってもよい。
【００３９】
さらに前記内、外両側靴下ａ、ｂの接着部分１８について説明すると以下のとおりである。前記接着部分１８は、前述したとおり靴下ａ、ｂの左側面（内側方）から右側面（外側方）に延設する帯状にて形成する。そして前記接着部分１８は、原則として内、外両側靴下ａ、ｂの上方部分１個所のみとする。
【００４０】
また前記接着部分１８は、接着性と溶融性を有するウレタン系のシート材１０等を一部もしくは細長く一体に使用するか、縫着して使用してもよい。
【００４１】
上記の接着部分１８を形成することによって、５本指が前記挿入部４、５にスムーズに挿入できるし、他方前記各指を各挿入部４、５から抜くときも、極めて容易に抜ける。
【００４２】
【発明の効果】
請求項１記載の発明は、外側靴下と内側靴下を有する２重編成の外反母趾防止用靴下において、前記内側靴下を構成するつま先部の下方生地に形成されている横長状の縫目が、平坦状に形成され、母趾挿入部と他の４本の指を入れる４本指挿入部との間に形成の開口部に外反母趾防止材が挿入されていること、前記母趾挿入部と４本指挿入部を形成する下方生地の外側面部に、伸縮性を有するテトロン（登録商標）又はナイロン製シート生地の裏面に薄い接着用ウレタンシートをラミネート加工を施して形成された固定シート材が当てられ、前記外反母趾防止材をも固着されていること、前記母趾挿入部と４本指挿入部を構成する上方生地の外側面部に、伸縮性を有するテトロン（登録商標）又はナイロン製シート生地の裏面に薄い接着用ウレタンシートをラミネート加工を施して形成された固定シート材が当てられ、前記外反母趾防止材をも固着されていること、さらに前記上方生地の外側面部の固定シート材の上面に、前記固定シート材より大きい伸縮性を有するウレタン系の不織布又はテトロン（登録商標）もしくはナイロン製シート生地の裏面に薄い接着用ウレタンシートをラミネート加工を施して形成された固定シート材が当てられ、前記固定シート材が接着されて前記外反母趾防止材と前記上方生地に被着されていると共に、内側靴下の上方生地中、前記母趾挿入部と４本指挿入部より踵部寄りの上方生地の表面部と、前記外側靴下を構成する上方生地の裏面部とが接着されていることにより、外側靴下と内側靴下が２重に被覆されて成る外反母趾防止用靴下なので、５本指は前記挿入部にスムーズに挿入し、他方５本指を抜くときも、スムーズにできる利点を有している。さらに本発明は、挿入した５本指を抜くとき、内側靴下だけが５本指と同時に付着しながらまくれたりしない。従って次に５本指を挿入するときも、スムーズに挿入できる利点を有している。その上、外反母趾防止材を極めて簡単な手段で確実に且強固に固着すると共に、製造工程の簡略化を図った。
【００４３】
さらに本発明は、内側靴下の下方生地の縫目をプレスして圧潰したので、歩行を極めて安楽にした。
【００４４】
請求項２記載の発明は、前記内側靴下の母趾挿入部と４本指挿入部との幅員は、５本の指プラス１本分の指を加えた６本指が挿入可能な広い幅員をもって形成されている外反母趾防止用靴下なので、５本指が左右両サイドより圧迫されるのを解消せしめた。
【００４５】
請求項３記載の発明は、前記固定シート材に、複数の小孔が形成されている外反母趾防止用靴下なので、通気性が良好でむれたりしない。
【００４６】
請求項４記載の発明は、前記外反母趾防止材が、布材又はゴム材でなる単体もしくはそれらの組合せでなる混合体で構成されている外反母趾防止用靴下なので、外反母趾機能が減少したりしない。
【００４７】
請求項５記載の発明は、前記外反母趾防止材が、スポンジ材料又はシリコン材料又はウレタン材料でなる単体もしくはいずれかの組合せでなる混合体で構成されている外反母趾防止用靴下なので、防止材が当る母趾及び第２趾の内側面を傷つけたりしない利点を有している。
【図面の簡単な説明】
【図１】  本発明の外反母趾防止用靴下の展開した状態の平面図である。
【図２】  重合した靴下の一部切欠拡大平面図である。
【図３】  製造工程を示す内側靴下中、右側靴下を転覆せしめた一部切欠平面図である。
【図４】  図３の靴下を転覆せしめた一部切欠平面図である。
【図５】  図４の靴下に第２工程を示す一部切欠内側右側靴下の一部切欠平面図である。
【図６】  図５の工程の完了と、さらに内外両靴下を接着せしめる接着シートを貼着した内側右側靴下の一部切欠平面図である。
【図７】  図６に示す工程後第３工程の別設シートを貼着せしめ、内外両靴下を被覆せしめる直前の状態を示す一部切欠平面図である。
【図８】  要部を構成する各部材を分解せしめた一部切欠拡大縦断面図である。
【符号の説明】
Ａ    外反母趾防止用靴下
ａ    外側靴下
ｂ    内側靴下
１    縫目
２    つま先部
３    下方生地
４    母趾挿入部
５    指挿入部
６    開口部
７    外反母趾防止材
８    外側面部
９    内側面部
１０    固定シート材
１０ａ  シート生地
１１    上方生地
１２    外側面部
１３    固定シート材
１４    シート生地
１５    裏面
１６    シート
１７    固定シート材
１８    接着部分
【図１】
0004000800.tif 000002
【図２】
0004000800.tif 000003
【図３】
0004000800.tif 000004
【図４】
0004000800.tif 000005
【図５】
0004000800.tif 000006
【図６】
0004000800.tif 000007
【図７】
0004000800.tif 000008
【図８】
0004000800.tif 000009